(57)【要約】【課題】二重天井を設けない場合に室内全体の明るさを確保するとともに、室内温度を調整することのできる建物内空間および建物内空間環境の制御装置を提供する。【解決手段】建物の内部に設けられ、二重天井ではない天井１６と床１８とによって上下を仕切られた空間１０であって、天井１６に設けられ、空間１０に対して間接照明を配光可能な照明装置２０と、床下に設けられ、床面から空間１０に向けて空調空気を吹き出して空間１０の温度を調整する空調機構２２とを備えるようにする。【選択図】図１
2019145250.tif 000002
【特許請求の範囲】
【請求項１】
建物の内部に設けられ、二重天井ではない天井と床とによって上下を仕切られた空間であって、
天井に設けられ、空間に対して間接照明を配光可能な照明装置を備えることを特徴とする建物内空間。
【請求項２】
床下に設けられ、床面から空間に向けて空調空気を吹き出して空間の温度を調整する空調機構を備えることを特徴とする請求項１に記載の建物内空間。
【請求項３】
照明装置は、照明光の配光角度を変更するための配光変更手段と、照明光の輝度または照明光による照度を変更するための調光変更手段の少なくとも一方の変更手段を備えることを特徴とする請求項１または２に記載の建物内空間。
【請求項４】
床下に設けられ、床面から空間に向けて空調空気を吹き出して空間の温度を調整する空調機構を備え、この空調機構は、二重床の床下に流れる空調空気を床面に敷かれた通風性能を有する床材から空間に向けて吹き出す基本空調部と、個別区域の直下の床面に設けられた開閉式の個別吹出口から、個別区域の使用者の要求に応じて個別区域に向けて空調空気を吹き出す個別空調部とを有することを特徴とする請求項１〜３のいずれか一つに記載の建物内空間。
【請求項５】
請求項１〜４のいずれか一つに記載の建物内空間の環境を制御する装置であって、
照明装置および空調機構を制御する制御手段からなることを特徴とする建物内空間環境の制御装置。
【発明の詳細な説明】
【技術分野】
【０００１】
本発明は、執務空間などの建物内空間および建物内空間環境の制御装置に関するものである。
【背景技術】
【０００２】
従来、オフィス等の執務室において、自然光を用いつつ間接的に室内全体の明るさを確保する機構を用いた方式が知られている（例えば、特許文献１を参照）。しかし、この方式では、直接光と間接光の比率を使用者が個別に調節することは困難である。
【０００３】
一方、室内の温度を適宜調整するために、天井仕上材と上階のコンクリートスラブとの間（二重天井）の空間に流れる空気を、天井仕上材に設けられた吹出口から室内に吹き出す機構を用いた方式が知られている（例えば、特許文献２を参照）。しかし、天井仕上材を設けない場合、つまり二重天井を設けない場合は、別途、室内に空気を吹き出す機構を設ける必要がある。
【先行技術文献】
【特許文献】
【０００４】
【特許文献１】特開２０１２−２５２８６６号公報
【特許文献２】特開２００９−０４７３２２号公報
【発明の概要】
【発明が解決しようとする課題】
【０００５】
このため、二重天井を設けない場合に室内全体の明るさを確保するとともに、室内温度を調整することのできる技術が求められていた。
【０００６】
本発明は、上記に鑑みてなされたものであって、二重天井を設けない場合に室内全体の明るさを確保するとともに、室内温度を調整することのできる建物内空間および建物内空間環境の制御装置を提供することを目的とする。
【課題を解決するための手段】
【０００７】
上記した課題を解決し、目的を達成するために、本発明に係る建物内空間は、建物の内部に設けられ、二重天井ではない天井と床とによって上下を仕切られた空間であって、天井に設けられ、空間に対して間接照明を配光可能な照明装置を備えることを特徴とする。
【０００８】
また、本発明に係る他の建物内空間は、上述した発明において、床下に設けられ、床面から空間に向けて空調空気を吹き出して空間の温度を調整する空調機構を備えることを特徴とする。
【０００９】
また、本発明に係る他の建物内空間は、上述した発明において、照明装置は、照明光の配光角度を変更するための配光変更手段と、照明光の輝度または照明光による照度を変更するための調光変更手段の少なくとも一方の変更手段を備えることを特徴とする。
【００１０】
また、本発明に係る他の建物内空間は、上述した発明において、床下に設けられ、床面から空間に向けて空調空気を吹き出して空間の温度を調整する空調機構を備え、この空調機構は、二重床の床下に流れる空調空気を床面に敷かれた通風性能を有する床材から空間に向けて吹き出す基本空調部と、個別区域の直下の床面に設けられた開閉式の個別吹出口から、個別区域の使用者の要求に応じて個別区域に向けて空調空気を吹き出す個別空調部とを有することを特徴とする。
【００１１】
また、本発明に係る建物内空間環境の制御装置は、上述した建物内空間の環境を制御する装置であって、照明装置および空調機構を制御する制御手段からなることを特徴とする。
【発明の効果】
【００１２】
本発明に係る建物内空間によれば、建物の内部に設けられ、二重天井ではない天井と床とによって上下を仕切られた空間であって、天井に設けられ、空間に対して間接照明を配光可能な照明装置を備えるので、二重天井を設けない場合に室内全体の明るさを確保することができるという効果を奏する。
【００１３】
また、本発明に係る他の建物内空間によれば、床下に設けられ、床面から空間に向けて空調空気を吹き出して空間の温度を調整する空調機構を備えるので、室内温度を調整することができるという効果を奏する。
【００１４】
また、本発明に係る他の建物内空間によれば、照明装置は、照明光の配光角度を変更するための配光変更手段と、照明光の輝度または照明光による照度を変更するための調光変更手段の少なくとも一方の変更手段を備えるので、使用者の環境や個人的な嗜好を踏まえた快適な照明環境を実現することができるという効果を奏する。
【００１５】
また、本発明に係る他の建物内空間によれば、床下に設けられ、床面から空間に向けて空調空気を吹き出して空間の温度を調整する空調機構を備え、この空調機構は、二重床の床下に流れる空調空気を床面に敷かれた通風性能を有する床材から空間に向けて吹き出す基本空調部と、個別区域の直下の床面に設けられた開閉式の個別吹出口から、個別区域の使用者の要求に応じて個別区域に向けて空調空気を吹き出す個別空調部とを有するので、使用者の環境や個人的な嗜好を踏まえた快適な空調環境を実現することができるという効果を奏する。
【００１６】
また、本発明に係る建物内空間環境の制御装置によれば、上述した建物内空間の環境を制御する装置であって、照明装置および空調機構を制御する制御手段からなるので、二重天井を設けない場合に室内全体の明るさを確保するとともに、室内温度を調整することができるという効果を奏する。
【図面の簡単な説明】
【００１７】
【図１】図１は、本発明に係る建物内空間および建物内空間環境の制御装置の実施の形態を示す断面図である。
【図２】図２は、本発明の実施の形態に用いる照明装置を下から見た概略斜視図であり、（１）は可動反射板を閉じた状態、（２）は可動反射板を開いた状態である。
【発明を実施するための形態】
【００１８】
以下に、本発明に係る建物内空間および建物内空間環境の制御装置の実施の形態を図面に基づいて詳細に説明する。なお、この実施の形態によりこの発明が限定されるものではない。
【００１９】
図１に示すように、本実施の形態に係る建物内空間１０は、オフィスビルなどの建物の内部に設けられる執務空間である。この建物内空間１０は、コンクリートスラブ１２下に鉄骨梁１４（Ｈ型鋼）が露出して設けられた天井１６と、二重床１８とによって上下を仕切られた空間であり、天井１６に設けられた照明装置２０と、二重床１８に設けられた空調機構２２と、これらを制御する本実施の形態に係る建物内空間環境の制御装置２４（制御手段）とを備えている。
【００２０】
天井１６は、天井内の空調ダクトが不要なため二重天井を廃し、天井高さを可能な限り高く確保している。照明装置２０からの光を受けるスラブ１２裏面は、明るい色（例えば白色など）に着色されている。二重床１８は、コンクリートスラブ２６とその上方に空間２８をあけて設置される床仕上材３０とによって構成されている。
【００２１】
この執務空間には、複数の作業机３２と椅子３４が床面に設置されており、執務に従事する使用者が使用するようになっている。図の例では、一組の作業机３２と椅子３４が左右に向かい合って設置された場合が示されている。
【００２２】
照明装置２０は、例えば作業机３２の直上の天井１６の鉄骨梁１４の下に設置され、執務空間に対して間接照明を配光可能な装置である。図の例では、照明装置２０を１つ設置した場合を示しているが、天井１６の異なる位置に複数設置してもよい。照明装置２０としては、例えば、蛍光灯やＬＥＤ照明などの照明灯を用いることができる。
【００２３】
この照明装置２０は、照明光源３６と、照明光源３６からの照明光の配光角度を変更するため可動反射板３８（配光変更手段）と、照明光の明るさ（輝度または照明光による照度）を変更するための図示しない調光変更手段を備えている。照明光源３６は、水平方向に長尺棒状に延びる光源であり、装置本体に取り付けられる。可動反射板３８は、照明光源３６の棒軸に対して回動可能に装置本体に取り付けられた２枚の反射板からなる。各反射板は照明光源３６の棒軸を略軸心とする円筒を略４つ割にした形態であり、照明光源３６に向く面が凹曲状に湾曲した反射面となっている。この反射面は、照明光源３６から出射した光を反射可能である。
【００２４】
この構成において、照明光源３６の下側全体を覆うように可動反射板３８を下側に回動すると、可動反射板３８は閉じた状態となり、照明光源３６から下方に出射する直接光を遮るとともに、上方や側方に出射する光の通過を許容する。これにより室内に間接照明光を提供することが可能となる。一方、照明光源３６の下側全体が露出するように可動反射板３８を上側に回動すると、可動反射板３８は開いた状態となり、照明光源３６から下方に出射する光によって室内に直接照明光を提供することが可能となる。可動反射板３８の開度を適宜調整することで、室内に対する配光の度合いを調整可能である。
【００２５】
使用者は制御装置２４を介して可動反射板３８を回動させることで、配光の度合いを適宜変更できる。照明光の明るさについても、使用者が制御装置２４を介して適宜調整できるようになっている。この照明装置２０により、使用者の環境や個人的な嗜好を踏まえた快適な照明環境を実現することができる。
【００２６】
なお、使用者による制御装置２４を介した調整方法としては、例えばＷＥＢアプリケーション等を経由して制御装置２４に制御指示信号を送る方法を用いることができる。この場合、例えば各使用者の作業机３２上にパソコンを配置して、パソコンと制御装置２４とを室内ＬＡＮ等を介して接続しておき、使用者がパソコン上のＷＥＢアプリケーション等を経由して制御指示信号を制御装置２４に送信することによって、可動反射板３８や照明光の明るさを制御する。このようにすることで、使用者は照明装置２０ごとに配光の度合いや明るさを適宜調整し得る。
【００２７】
空調機構２２は、二重床１８に設けられ、床面から空間１０に向けて空調空気を吹き出して空間１０の温度を調整するものであり、基本空調部４０と、個別空調部４２とを備える。基本空調部４０は、図示しない空調装置から二重床の床下空間２８に送り込まれる空調空気を、床全面に敷き詰められた通風性能を有するカーペットタイルなどの床仕上材３０（床材）から空間１０に向けて吹き出す機構である。個別空調部４２は、各作業机３２（個別区域）の直下の床面に設けられた開閉式の個別吹出口４４から、使用者の要求に応じて床上に向けて二重床１８の空調空気を吹き出す機構である。
【００２８】
使用者は床全面に敷き詰められた通風性能を有するカーペットタイルを通って送られる空調空気の風を受け得る。また、使用者は自身の直下にある個別吹出口４４を開閉して風を受け得る。個別吹出口４４から供給される空調空気の風量（風の強さ）および温度については、上述したＷＥＢアプリケーションと制御装置２４を経由して個別吹出口４４の開度を制御することにより使用者が適宜調整し得るようになっている。この空調機構２２により、使用者の環境や個人的な嗜好を踏まえた快適な空調環境を実現することができる。
【００２９】
制御装置２４は、照明装置２０と空調機構２２を制御するためのものである。上述したように、作業机３２上に配置された図示しないパソコンと制御装置２４とを室内ＬＡＮ等を介して接続しておき、使用者がパソコン上のＷＥＢアプリケーション等を経由して制御指示信号を制御装置２４に送信することによって、可動反射板３８や照明光の明るさ、個別吹出口４４からの風量を制御することができる。
【００３０】
上記構成の動作および作用について説明する。
まず、照明装置２０に備わる可動反射板３８の配光機能と、図示しない調光変更手段の調光機能により、使用者はその作業内容に応じた適切な光環境を確保することが可能となる。
【００３１】
例えば、図２（１）に示すように、可動反射板３８を閉じた状態では、照明光源３６からの光は上方の天井面または側方に向けて出射し、照明光源３６から下方に出射する直接光は可動反射板３８に遮られる。この場合、照明装置２０は間接照明灯具として機能するため、直接光がさほど必要ではないＶＤＴ作業に適している。他方、図２（２）に示すように、可動反射板３８を開放した状態では照明光源３６からの直接光が活用できるため、机上での作業に適した光環境を確保できる。
【００３２】
次に、空調機構２２の作用については、使用者の作業環境、とりわけＩＴ機器の活用状況により使用者周辺の設備機器からの発熱量は大きく異なる。用意された個別吹出口４４ごとの風量調節機能および温度調節機能は周辺発熱量の差や、着衣量による個別的な温冷感の差を解消することを可能とする。
【００３３】
このように、本実施の形態によれば、二重天井を設けない建物内空間１０において、間接照明により室内全体の明るさを確保する。また、二重床を設けた建物内空間１０において、床面からの空調空気の吹き出しにより、室内温度を適宜調整することができる。
【００３４】
また、本実施の形態によれば、間接照明配光を可能とする照明装置２０により二重天井を廃した天井１６の高い豊かな執務空間が確保できる。また、床吹き出し式の空調機構との組み合わせにより、使用者の作業環境、個人的な嗜好を踏まえた快適な空調・照明環境をエリアごとに実現することができる。
【００３５】
以上説明したように、本発明に係る建物内空間によれば、建物の内部に設けられ、二重天井ではない天井と床とによって上下を仕切られた空間であって、天井に設けられ、空間に対して間接照明を配光可能な照明装置を備えるので、二重天井を設けない場合に室内全体の明るさを確保することができる。
【００３６】
また、本発明に係る他の建物内空間によれば、床下に設けられ、床面から空間に向けて空調空気を吹き出して空間の温度を調整する空調機構を備えるので、室内温度を調整することができる。
【００３７】
また、本発明に係る他の建物内空間によれば、照明装置は、照明光の配光角度を変更するための配光変更手段と、照明光の輝度または照明光による照度を変更するための調光変更手段の少なくとも一方の変更手段を備えるので、使用者の環境や個人的な嗜好を踏まえた快適な照明環境を実現することができる。
【００３８】
また、本発明に係る他の建物内空間によれば、床下に設けられ、床面から空間に向けて空調空気を吹き出して空間の温度を調整する空調機構を備え、この空調機構は、二重床の床下に流れる空調空気を床面に敷かれた通風性能を有する床材から空間に向けて吹き出す基本空調部と、個別区域の直下の床面に設けられた開閉式の個別吹出口から、個別区域の使用者の要求に応じて個別区域に向けて空調空気を吹き出す個別空調部とを有するので、使用者の環境や個人的な嗜好を踏まえた快適な空調環境を実現することができる。
【００３９】
また、本発明に係る建物内空間環境の制御装置によれば、上述した建物内空間の環境を制御する装置であって、照明装置および空調機構を制御する制御手段からなるので、二重天井を設けない場合に室内全体の明るさを確保するとともに、室内温度を調整することができる。
【産業上の利用可能性】
【００４０】
以上のように、本発明に係る建物内空間および建物内空間環境の制御装置は、執務空間などの建物内空間に有用であり、特に、二重天井を設けない場合に室内全体の明るさを確保するとともに、室内温度を調整するのに適している。
【符号の説明】
【００４１】
１０  建物内空間
１２，２６  コンクリートスラブ
１４  鉄骨梁
１６  天井
１８  二重床
２０  照明装置
２２  空調機構
２４  制御装置（制御手段）
２８  空間
３０  床仕上材
３２  作業机
３４  椅子
３６  照明光源
３８  可動反射板（配光変更手段）
４０  基本空調部
４２  個別空調部
４４  個別吹出口
【図１】
2019145250.tif 000003
【図２】
2019145250.tif 000004